(57)【要約】【課題】靴の収容効率を向上させることにより、同一の使用空間内により多くの靴を整理収納することを可能とする。【解決手段】左側板１２と右側板の内面に、正面側と背面側に位置して縦方向に複数のダボ孔２１を設ける。複数のダボ孔２１に嵌め込み式の係止ピン２２を選択的に取り付け、係止ピン２２を用いて複数枚の棚板１９を上下に隣接するもの同士の傾き方向が逆になるように取り付ける。複数枚の棚板１９により、靴収納箱１１の正面側及び背面側の双方に上下に並んで開口する複数の靴収納空間Ａ１〜Ａ５，Ｂ１〜Ｂ５を形成する。複数の靴収納空間Ａ１〜Ａ５，Ｂ１〜Ｂ５の断面形状を略三角形とし、正面側の靴収納空間Ａ１〜Ａ５と背面側の靴収納空間Ｂ１〜Ｂ５とを左側板１２と右側板との間に無駄なく形成することにより、靴の収容効率を向上させることができる。【選択図】図６
0003139761.tif 000002
【実用新案登録請求の範囲】
【請求項１】
左右側板と、
この左右側板の間に、各々が左右側板を通る仮想の水平軸を回動中心として回動した傾きを確保された状態で上下方向に並んで設けられるとともに、上下に隣接するもの同士の傾き方向が逆に設定されることにより、上下に並んで開口する複数の靴収納空間を正面側及び背面側の双方に形成する複数枚の棚板と
を含むことを特徴とする靴収納箱。
【請求項２】
前記左右側板の相対向する双方の内面の正面側及び背面側に、上下方向に等間隔に並んで複数のダボ孔が設けられ、
前記複数枚の棚板は、前記複数のダボ孔に選択的に装着された複数の係止ピンに支持されることにより所定の傾き角度を確保される
ことを特徴とする請求項１記載の靴収納箱。
【請求項３】
前記左右側板の下端部側に位置して移動用のキャスターが所定数設けられたことを特徴とする請求項１又は２記載の靴収納箱。
【請求項４】
前記左右側板の少なくともいずれか一方側の外面であって上方側の所定位置に移動操作用の把手が設けられたことを特徴とする請求項３記載の靴収納箱。
【請求項５】
前記左右側板の下端部側が左右側板の間に挟まれた底板を介して連結され、
この底板に前記キャスターが所定数設けられ、
左右側板の下縁が底板よりも下方に位置する
ことを特徴とする請求項３又は４記載の靴収納箱。
【請求項６】
左右側板の間に、複数枚の棚板が、左右側板を通る仮想の水平軸を回動中心として回動した傾きを確保された状態で上下方向に並んで設けられるとともに、上下に隣接するもの同士の傾き方向が逆に設定されることにより、上下に並んで開口する複数の靴収納空間が正面側及び背面側の双方に形成された靴収納箱と、
複数の前記靴収納箱が正面側と背面側とを互いに接した状態で、かつ左右方向に出し入れ自在に収容されるラック本体と
から構成されたことを特徴とする靴収納ラック。
【考案の詳細な説明】
【技術分野】
【０００１】
本考案は、多数の靴の整理収納に使用される靴収納箱、及び靴収納ラックに関する。
【背景技術】
【０００２】
従来、多数の靴の整理収納に使用される靴収納箱としては、左右側板の相対向する各々の内面に、棚板を係止するための複数のピンを上下方向に植設しておき、複数段分の棚板を、正面側を下げるように同一方向に同じ角度で傾けた状態で左右側板の間に係止させるものが知られている（例えば下記特許文献１参照）。
【特許文献１】実用新案登録３１０１１６１号公報
【考案の開示】
【考案が解決しようとする課題】
【０００３】
しかしながら、上記靴収納箱においては、複数段分の棚板を同一方向に同じ角度で傾けた構成であり、各々の棚板間に形成される靴収納空間の高さが均一であるため、同一の空間内での靴の収容効率が低い、という問題があった。これは棚板の間隔を靴の踵側の高さに合わせる必要があるが、靴の爪先側は踵側よりも低いため、爪先側の収容空間が無駄になるためである。
【０００４】
本考案は、このような従来の課題に鑑みてなされたものであり、靴の収容効率を向上させることにより、同一の使用空間内により多くの靴を整理収納することができる靴収納箱、及び靴収納ラックを提供することを目的とする。
【課題を解決するための手段】
【０００５】
前記課題を解決するために請求項１記載の考案に係る靴収納箱にあっては、左右側板と、この左右側板の間に、各々が左右側板を通る仮想の水平軸を回動中心として回動した傾きを確保された状態で上下方向に並んで設けられるとともに、上下に隣接するもの同士の傾き方向が逆に設定されることにより、上下に並んで開口する複数の靴収納空間を正面側及び背面側の双方に形成する複数枚の棚板とを含むことを特徴とする。
【０００６】
また、請求項２記載の考案に係る靴収納箱にあっては、前記左右側板の相対向する双方の内面の正面側及び背面側に、上下方向に等間隔に並んで複数のダボ孔が設けられ、前記複数枚の棚板は、前記複数のダボ孔に選択的に装着された複数の係止ピンに支持されることにより所定の傾き角度を確保されることを特徴とする。
【０００７】
また、請求項３記載の考案に係る靴収納箱にあっては、前記左右側板の下端部側に位置して移動用のキャスターが所定数設けられたことを特徴とする。
【０００８】
また、請求項４記載の考案に係る靴収納箱にあっては、前記左右側板の少なくともいずれか一方側の外面であって上方側の所定位置に移動操作用の把手が設けられたことを特徴とする。
【０００９】
また、請求項５記載の考案に係る靴収納箱にあっては、前記左右側板の下端部側が左右側板の間に挟まれた底板を介して連結され、この底板に前記キャスターが所定数設けられ、左右側板の下縁が底板よりも下方に位置することを特徴とする。
【００１０】
また、請求項６記載の考案に係る靴収納ラックにあっては、左右側板の間に、複数枚の棚板が、左右側板を通る仮想の水平軸を回動中心として回動した傾きを確保された状態で上下方向に並んで設けられるとともに、上下に隣接するもの棚板の傾き方向が逆に設定されることにより、上下に並んで開口する複数の靴収納空間が正面側及び背面側の双方に形成された靴収納箱と、複数の前記靴収納箱が正面側と背面側とを互いに接した状態で、かつ左右方向に出し入れ自在に収容される本体とから構成されたことを特徴とする。
【考案の効果】
【００１１】
本考案によれば、靴の収容効率を向上させることにより、同一の使用空間内により多くの靴を整理収納することが可能となる。
【考案を実施するための最良の形態】
【００１２】
以下、本考案の好ましい実施の形態を図にしたがって説明する。図１は、本考案に係る靴収納ラックの使用状態を示した正面図である。
【００１３】
この靴収納ラックは、例えば一般家庭の玄関等において使用されるものであり、玄関等の床面Ｇに置かれるラック本体１と、ラック本体１内に出し入れ自在に収容された後述する複数（図に示したものでは３本）の靴収納箱１１から構成されている。
【００１４】
ラック本体１は、床面Ｇに支持された相対向する左側板２および右側板３と、その左右側板２，３の上端を連結する天板４とによって靴収納箱１１の収容空間を形成しているとともに、その収容空間の上部を、天板４に取り付けられた２枚の仕切り板５，５によって３等分に仕切られている。また、図２に示したようにラック本体１は、背面側において左右側板２，３の下部を脚板６によって連結されるとともに、脚板６の上方側を左右側板２，３に取り付けられた金属製のクロスバー７により補強されている。
【００１５】
なお、本実施形態において左右側板２，３、天板４、仕切り板５，５、脚板６の素材はパーチクルボードであり、図では省略するが、上記各部材は木ねじにより固着されている。
【００１６】
次に、前記靴収納箱１１の詳細を図３〜図６にしたがって説明する。図３は、靴収納箱１１を正面側上方から見た状態を透視法で示した斜視図であり、図４は正面図、図５は背面図、図６は右側板を取り除いた状態を示した右側面図である。
【００１７】
靴収納箱１１は、その内部に多数の靴が整理収納されるものであり、図示したように相対向する左側板１２および右側板１３の上端部を天板１４を介して連結され、その下端部を底板１５を介して連結された構成を有している。左右側板１２，１３の双方の外面には、コの字型に形成されたステンレス製の把手１７がそれぞれ取り付けられるとともに、底板１５の裏面側の４隅には首振りタイプのキャスター１６が設けられている。なお、靴収納箱１１についても左右側板１２，１３、天板１４、底板１５は各々がパーチクルボードであり、キャスター１６を含め木ねじにより互いに固着されている。また把手１７についてはボルトによって左右側板１２，１３に固着されている。
【００１８】
また、前記把手１７の取付位置は、靴収納箱１１の重量や、想定される靴の重量、および靴収納箱１１の形状等を考え、上方側の所定位置に予め決められており、これにより、使用者は把手１７を握って力を加えれば、靴収納箱１１を起立したままの状態で容易に移動することが可能であって、所望の靴収納箱１１を左右方向（図３で矢示イ方向）に移動させることにより、容易にラック本体１内に収容したり、ラック本体１から引き出したりすることができる構成となっている。
【００１９】
また、靴収納箱１１においては、底板１５が左右側板１２，１３に挟まれた状態で組み付けられるとともに、左右側板１２，１３の双方の下縁が底板１５よりも下方に位置することにより、キャスター１６の略上半分を覆う構成であり、これにより図１に示したように各靴収納箱１１がラック本体１内に収容された状態にあるときの美観の向上、およびラック本体１との一体感の向上が図られている。
【００２０】
一方、左右側板１２，１３の間には、最上部に位置するパーチクルボードからなる１枚の固定用棚板１８と、その下方に配置された合成樹脂（より具体的にはポリプロピレン）からなる９枚の係止用棚板１９が取り付けられている。固定用棚板１８と係止用棚板１９とは、図６に示したように、各々が左右側板１２，１３を通る仮想の水平軸を回動中心として回動した傾きを確保された状態で上下方向に並んで設けられており、上下に隣接するもの同士の傾き方向が逆に設定されることによって、靴収納箱１１の正面側（図４参照）及び背面側（図５参照）の双方に、上下に並んで開口する複数の靴収納空間、すなわち正面側の靴収納空間Ａ１〜Ａ５と背面側の靴収納空間Ｂ１〜Ｂ５が形成されている。
【００２１】
前記固定用棚板１８には、正面側に位置する端縁に、靴収納空間Ａ１に収納された靴の脱落を防止するためのフランジ部１８ａが設けられており、幅方向の両端部をＬ字金具２０を用いて左右側板１２，１３に固着されている。
【００２２】
図７は前記係止用棚板１９を示す斜視図である。係止用棚板１９は、板状の本体１９ａの長さ方向の一方側の端縁に、固定用棚板１８と同様に、靴の脱落を防止するためのフランジ部１９ａが形成されるとともに、本体１９ａの裏面側であって長さ方向の他方側の所定位置に本体１９ａの幅方向に延びた係止用リブ１９ｃが形成された構造であり、以下のようにして左右側板１２，１３に取り付けられている。
【００２３】
すなわち、図６に示したように、左側板１２の内面には（図示しない右側板１３側も同様）、正面側及び背面側に位置して複数のダボ孔２１（図で黒丸）が上下方向に等間隔に並んで穿孔されており、係る複数のダボ孔２１のうち所定のダボ孔２１のみに、左側板１２の内面に突出する係止ピン２２（図で白丸）が嵌め込みにより取り付けられている。なお、図６には便宜上、特定のダボ孔２１及び係止ピン２２のみに符号を付す。
【００２４】
そして、前記係止用棚板１９は、正面側と背面側とにおける互いに取付位置が上下する１組の係止ピン２２によって支持されることによって所定の傾き角度を確保され、さらに係る１組の係止ピン２２のうちで上方に位置する側の係止ピン２２に前述した係止用リブ１９ｃが係止されることによって、例えば上から２段目の係止用棚板１９であれば背面側への移動を規制され、また上から３段目の係止用棚板１９であれば正面側への移動を規制されている。
【００２５】
ここで上述した靴収納箱１１においては、図から明らかなように正面側の靴収納空間Ａ１〜Ａ５と背面側の靴収納空間Ｂ１〜Ｂ５の断面形状が略三角形であるため、靴の高さが、靴の踵側が高くかつ爪先側が低くとも、それを正面側又は背面側から爪先側を上げた状態で収容させれば各々の靴収納空間に生じる無駄がごく僅かとなる。しかも、正面側の靴収納空間Ａ１〜Ａ５と背面側の靴収納空間Ｂ１〜Ｂ５とは上下に交互に配置されることによって左右側板１２，１３間に無駄なく形成されている。したがって、靴収納箱１１においては従来のものに比べ靴の収容効率が極めて高く、玄関等における同一の使用空間内により多くの靴を整理収納することができる。
【００２６】
また、上記に加え、靴収納空間が正面側と背面側とに別々に開口する構成であることから、例えば正面側の靴収納空間Ａ１〜Ａ５に普段使いの靴を収納し、背面側の靴収納空間Ｂ１〜Ｂ５冠婚葬祭用等の使用頻度の低い靴を収納するようにしたり、また、正面側に遊び用の靴を収納し、背面側に仕事用の靴を収納するようにしたり、また、正面側に春夏用の靴を収納し、背面側に秋冬用の靴を収納するようにしたりすることができる。つまり正面側の靴収納空間Ａ１〜Ａ５と背面側の靴収納空間Ｂ１〜Ｂ５とを使い分けることができ、多くの靴を種類別に整理して収納する場合には極めて都合がよい。
【００２７】
しかも、前記靴収納箱１１においては、必要に応じて係止ピン２２の取付位置を変更することにより係止用棚板１９の傾き角度を調整したり、さらには、使用する係止用棚板１９の数を変更することにより靴収納空間の数、及び各靴収納空間の高さを調整したりすることができるため、多様な大きさや形状（スニーカー、ハイヒール等）に対応することができる。さらに、通常の靴に限らずブーツや、箱に入った状態の靴等も収納することができる。
【００２８】
なお、当然のごとく前記靴収納箱１１は、それを単独で使用することもできる。靴収納ラックとして使用する場合と単独で使用する場合とに関係なく、前記キャスター１６は必ずしも設けなくともよい。また、例えばキャスター１６に代えて、靴収納箱１１の下部にそれを水平方向に回転自在に支持する機構を設けるようにしてもよい。また、キャスター１６を設ける場合、その数は必要に応じて増減することができる。
【００２９】
また、本実施形態では靴収納箱１１の靴収納空間Ａ１〜Ａ５，Ｂ１〜Ｂ５を形成する棚板として、固定用棚板１８と係止用棚板１９との２種類の棚板を備えたものについて説明したが、これに限らず本考案においては、靴収納空間を固定用棚板１８だけで形成させたり、係止用棚板１９だけで形成させたりする構成としてもよい。
【００３０】
また、固定用棚板１８を備えた構成とする場合は、その取付位置や数については適宜変更することができる。また、固定用棚板１８と係止用棚板１９とは必ずしも板状の部材とする必要はなく、例えばそれらを比較的太い金属製の線材によって形成するようにしても構わない。また、係止用棚板１９のように着脱自在な棚板を備えた構成とする場合、それを左右側板１２，１３に着脱自在に取り付けるための具体的な構成については本実施形態で説明したものに限らず任意の構成を採用することができる。
【００３１】
また、靴収納ラックとして、前述したように単独でも使用可能な靴収納箱１１を用いるものについて説明したが、単独では使用できない構成の靴収納箱を用いるようにしてもよい。例えばラック本体と、ラック本体にスライドレールを介して出し入れ自在に連結される靴収納箱からなる構成としてもよい。
【図面の簡単な説明】
【００３２】
【図１】本考案実施の形態を示す靴収納ラックの使用状態での正面図である。
【図２】ラック本体の背面図である。
【図３】靴収納箱の斜視図である。
【図４】靴収納箱の正面図である。
【図５】靴収納箱の背面図である。
【図６】右側板を取り除いた状態を示す靴収納箱の右側面図である。
【図７】棚板を示す斜視図である。
【符号の説明】
【００３３】
１    ラック本体
１１    靴収納箱
１２    左側板
１３    右側板
１４    天板
１５    底板
１６    キャスター
１７    把手
１８    固定用棚板
１９    係止用棚板
１９ａ    フランジ部
１９ａ    本体
１９ｃ    係止用リブ
２１    ダボ孔
２２    係止ピン
Ａ１〜Ａ５    （正面側の）靴収納空間
Ｂ１〜Ｂ５    （背面側の）靴収納空間
Ｇ    床面
【図１】
0003139761.tif 000003
【図２】
0003139761.tif 000004
【図３】
0003139761.tif 000005
【図４】
0003139761.tif 000006
【図５】
0003139761.tif 000007
【図６】
0003139761.tif 000008
【図７】
0003139761.tif 000009